【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
デジタル画像の一部にフィルタをかけるための基準にアクセスするステップであって、前記一部は、デジタル画像の全てまたは部分を含み、前記基準は、前記一部のピクセルに対するフィルタ強さを表すところのステップ； 
前記一部にフィルタをかけるための第２の基準にアクセスするステップであって、前記第２の基準は、前記基準によって示される前記フィルタ強さを有するピクセルのパーセンテージを表すところのステップ、および
デジタル画像データにフィルタをかけるために使用するパラメータの値を決定するステップであって、前記値は、前記一部の前記デジタル画像に対して、前記基準および前記第２の基準のうちの少なくとも１つが満たされているか否かに基づいて決定されるところのステップ；
を有する方法。
【請求項２】
前記値を決定するステップは、
前記基準が、前記一部のデジタル画像のピクセルに対して、満たされる値を決定するステップを有する、
請求項１記載の方法。
【請求項３】
前記基準は、デジタル画像データにフィルタをかけるためのフィルタの１つ以上の性能特性の尺度に関連する、請求項１記載の方法。
【請求項４】
前記性能特性は、フィルタの強さ、フィルタの品質、およびフィルタの複雑さのうちの１つ以上に関連する、請求項３記載の方法。
【請求項５】
前記基準にアクセスするステップは、ユーザから前記基準を受け取るステップ、を有する、請求項１記載の方法。
【請求項６】
前記一部のデジタル画像は：
前記デジタル画像にアクセスするステップ；
前記アクセスされたデジタル画像の画素値を評価するステップ；および
前記評価に基づいて、前記アクセスされたデジタル画像の前記一部を選択するステップ；
によって判定される、請求項１記載の方法。
【請求項７】
前記画素値を評価するステップは、
前記アクセスされたデジタル画像の前記一部の同質性の尺度を判定するステップ、を有する、請求項６記載の方法。
【請求項８】
前記画素値を評価するステップは、
１つ以上のブロックのピクセルの分散を測定するステップであって、１つ以上の分散を求める、ステップ、を有し、
前記一部を選択するステップは、
１つ以上の前記分散を閾値と比較するステップ；
前記比較するステップに基づき、前記１つ以上のブロックのうちの少なくとも１つを選択するステップ；および
１つ以上の選択された前記ブロックのピクセルを含む前記一部を選択するステップ；を有する、
請求項６記載の方法。
【請求項９】
前記値を決定するステップは、
空間的近隣サイズによって、前記基準が満たされるか否かに基づいて、前記空間的近隣サイズを決定するステップ、を更に有する、請求項１記載の方法。
【請求項１０】
前記値を決定するステップは、
時間的近隣サイズによって、前記基準が満たされるか否かに基づいて、前記時間的近隣サイズを決定するステップ、を更に有する、請求項１記載の方法。
【請求項１１】
前記値を決定するステップは、空間的近隣サイズおよび空間的近隣サイズの両者によって、前記基準が満たされたか否かに基づいて、時間的近隣サイズおよび時間的近隣サイズ
を決定するステップ、を更に有する、請求項１記載の方法。
【請求項１２】
前記値を決定するステップは、
前記一部のデジタル画像のために前記２つの基準の両方が満たされるピクセル差閾値の値を、前記一部のために、決定するステップを更に有する、請求項１記載の方法。
【請求項１３】
前記基準は、所与のピクセル輝度値を置き換えることができる平均ピクセル輝度値を生成するために使われるピクセルの数を示す、請求項１記載の方法。
【請求項１４】
前記パラメータは、候補ピクセルの良好の尺度の閾値に関連する、請求項１記載の方法。
【請求項１５】
候補ピクセルの良好の尺度は、少なくとも１つの現在のピクセルと少なくとも１つの候補ピクセルとの差に基づく、請求項１４記載の方法。
【請求項１６】
デジタル画像データを受け取るように構成されたプロセッサを有し、かつ前記プロセッサは：
デジタル画像の一部にフィルタをかけるための基準にアクセスするように構成された基準入力受信器であって、前記一部は、デジタル画像の全てまたは部分を含み、前記基準は、前記一部のピクセルに対するフィルタ強さを表し、かつ、前記一部にフィルタをかけるための第２の基準にアクセスするように構成され、前記第２の基準は、前記基準によって示される前記フィルタ強さを有するピクセルのパーセンテージを表すところの基準入力受信器；および
デジタル画像データにフィルタをかけるために使用するパラメータの値を決定するためのパラメータ決定ユニットであって、前記値は、前記一部の前記デジタル画像に対して、前記基準および前記第２の基準のうちの少なくとも１つが満たされているか否かに基づいて決定されるところのパラメータ決定ユニット；
を有する装置。
【請求項１７】
フィルタをかけるために用いられる前記決定されたパラメータの値は、
空間的近隣サイズ、時間的近隣サイズ、予測された候補ピクセルの良好の程度を検査するための閾値のうち少なくとも１つを有する、請求項１６記載の装置。
【請求項１８】
前記プロセッサは、エンコーダに集積化され、かつ前記決定されたパラメータは前記デジタル画像データと共に伝送される、請求項１６記載の装置。
【請求項１９】
前記プロセッサは、デコーダに集積化され、かつパラメータの決定は前記受け取られたデジタル画像データに基づいて実行される、請求項１６記載の装置。
【請求項２０】
デジタル画像の一部にフィルタをかけるための基準にアクセスするための手段であって、前記一部は、デジタル画像の全てまたは部分を含み、前記基準は、前記一部のピクセルに対するフィルタ強さを表し、かつ、前記一部にフィルタをかけるための第２の基準にアクセスし、前記第２の基準は、前記基準によって示される前記フィルタ強さを有するピクセルのパーセンテージを表すところの手段；および
デジタル画像データにフィルタをかけるために使用するパラメータの値を決定する手段であって、前記値は、前記一部の前記デジタル画像に対して、前記基準および前記第２の基準のうちの少なくとも１つが満たされているか否かに基づいて決定されるところの手段；
を有する装置。
【請求項２１】
アプリケーションプログラムが明確に格納されたプログラム記憶装置であって、前記アプリケーションプログラムは、少なくとも、
デジタル画像の一部にフィルタをかけるための基準にアクセスする手順であって、前記一部は、デジタル画像の全てまたは部分を含み、前記基準は、前記一部のピクセルに対するフィルタ強さを表し、かつ、前記一部にフィルタをかけるための第２の基準にアクセスし、前記第２の基準は、前記基準によって示される前記フィルタ強さを有するピクセルのパーセンテージを表すところの手順；および
デジタル画像データにフィルタをかけるために使用するパラメータの値を決定する手順であって、前記値は、前記一部の前記デジタル画像に対して、前記基準および前記第２の基準のうちの少なくとも１つが満たされているか否かに基づいて決定されるところの手順；
をコンピュータに実行させるための命令を含む、アプリケーションプログラムが明確に格納されたプログラム記憶装置。
【請求項２２】
値を含むパラメータを有するフィルタを使用して、デジタル画像にフィルタをかけるステップを有する方法であって、前記値によって一部のデジタル画像に対してユーザ設定された基準が満たされているか否かに基づき、前記値が決定される方法。